(57)【要約】【課題】ボールを押して回転する跳込羽根の弾性変形を、制止部材により強制的に起こさせて、この弾性変形の反発力をボールに加えて回収容器へ跳ね込ませることにより、跳込羽根の回転でボールを回収容器へ回収することができるボール拾集機を市場提供可能とすること。【解決手段】跳込羽根３を、弾性変形させるとその反発力でボール４を必要距離投射できる弾力を有する弾性材料により形成し、この跳込羽根に対応させて、拾集機本体２のボール導入部６の下側には、跳込羽根の先端へ当る制止部材７を設け、該制止部材でボールを押して回転する跳込羽根を、先端が制止部材から外れるまで回転方向後方へ弾性変形させて、跳込羽根にボールを回収容器へ跳ね込む反発力を発生させるようにしたこと。【選択図】図２
2005028110.tif 000002
【特許請求の範囲】
【請求項１】
跳込羽根を回転させながら拾集機本体を収集するボールへ向って進め、跳込羽根の回転でボールを拾集機本体に付設した回収容器へ跳ね込んで回収するボール拾集機において、
上記跳込羽根を、弾性変形させるとその反発力でボールを必要距離投射できる弾力を有する弾性材料により形成し、
この跳込羽根に対応させて、拾集機本体のボール導入部下側に、跳込羽根の先端へ当る制止部材を設け、
該制止部材でボールを押して回転する跳込羽根を、先端が制止部材より外れるまで回転方向後方へ弾性変形させて、跳込羽根にボールを回収容器へ跳ね込む反発力を発生させるようにした
ことを特徴とするボール拾集機。
【請求項２】
上記跳込羽根の回転軸への取付部の近くに弾性変形を容易にする撓み部が形成されている
ことを特徴とする請求項１に記載のボール拾集機。
【請求項３】
拾集機本体を跳込羽根を回転させながら収集するボールへ向って進め、跳込羽根の回転でボールを拾集機本体に付設した回収容器へ跳ね込んで回収するボール拾集機において、
上記跳込羽根を、ばね蝶番により回転軸へ取り付けて、跳込羽根が蝶番の軸を中心に回動すると、蝶番のばねが変形してその反発力でボールを必要距離投射できるように構成し、
この跳込羽根に対応させて、拾集機本体のボール導入部下側に、跳込羽根の先端へ当る制止部材を設け、
該制止部材でボールを押して回転する跳込羽根を、先端が制止部材より外れるまで回転方向後方へ回動させて蝶番ばねの弾性変形を起させ、その反発力を跳込羽根に加えてボールを回収容器へ跳ね込ませるようにした。
ことを特徴とするボール拾集機。
【発明の詳細な説明】
【技術分野】
【０００１】
本発明は、テニス、ゴルフ、その他のボールを回収容器へ拾集するボール拾集機に関する。
【背景技術】
【０００２】
従来、羽根の回転を利用したボール拾集機は、回転軸の周囲にゴム等の弾性体で形成した４枚の羽根をボールの直径よりも狭い間隔で所要数取付けて、羽根の回転力と弾力とでボールを回収容器へ跳ね込ませるようにしている。（例えば、特許文献１参照）
【特許文献１】公開実用昭和５１−７５３６０号明細書（第１頁〜第２頁、第１図）
【０００３】
しかしながら、このボール拾集機の羽根は、その先端を制止部材に当てて止めることにより、羽根を十分に弾性変形させてから制止部材より離れるようにする構造を採用してしないため、羽根の回転で導入板を押し上げられるボールが、羽根から外れると元の位置へ転がり落ちて回収容器へは回収されないものであることは、本発明者等の実験により明らかであり、この現状から実用化するには至らなかったものである。
【発明の開示】
【発明が解決しようとする課題】
【０００４】
本発明はこの現状に鑑み、ボールを押して回転する跳込羽根の弾性変形を、制止部材により強制的に起こさせて、この弾性変形の反発力をボールに加えて回収容器へ跳ね込ませることにより、跳込羽根の回転でボールを回収容器へ回収することができるボール拾集機を市場提供可能とすることがその課題である。
【課題を解決するための手段】
【０００５】
本発明は、前記課題を解消するため、下記の構成を採用することを特徴とする。
跳込羽根を回転させながら拾集機本体を収集するボールへ向って進め、跳込羽根の回転でボールを拾集機本体に付設した回収容器へ跳ね込んで回収するボール拾集機において、
上記跳込羽根を、弾性変形させるとその反発力でボールを必要距離投射できる弾力を有する弾性材料により形成し、この跳込羽根に対応させて、拾集機本体のボール導入部下側に、跳込羽根の先端へ当る制止部材を設け、該制止部材でボールを押して回転する跳込羽根を、先端が制止部材から外れるまで回転方向後方へ弾性変形させて、その反発力を跳込羽根に加え、ボールを回収容器へ跳ね込ませるようにしたこと。
【０００６】
上記跳込羽根の回転軸への取付部近くに弾性変形を容易にする撓み部が形成されていること。
【０００７】
拾集機本体を跳込羽根を回転させながら収集するボールへ向って進め、跳込羽根の回転でボールを拾集機本体に付設した回収容器へ跳ね込んで回収するボール拾集機において、
上記跳込羽根を、ばね蝶番により回転軸へ取り付けて、跳込羽根が蝶番を中心に回動すると、蝶番のばねが変形してその反発力でボールを必要距離投射できるように構成し、この跳込羽根に対応させて、拾集機本体のボール導入部下側に、跳込羽根の先端へ当る制止部材を設け、該制止部材でボールを押して回転する跳込羽根を、先端が制止部材より外れるまで回転方向後方へ回動させて蝶番ばねの弾性変形を起させ、その反発力を跳込羽根に加えてボールを回収容器へ跳ね込ませるようにしたこと。
【発明の効果】
【０００８】
請求項１の効果  収集するボールがある面に拾集機本体を進めると、跳込羽根の弾性変形を制止部材が強制的に起こさせ、その反発力をボールへ加えさるため、ボールを回収容器へ拾集する操作を自動的に能率よく行わせることができる。
【０００９】
請求項２の効果  跳込羽根の取付側に設けた撓み部が跳込羽根の変形を無理なく容易に行なわせるため、跳込羽根が折れる故障を低減させることができる。
【００１０】
請求項３の効果  ばね蝶番で跳込羽根を回転軸へ取り付けると、跳込羽根の回動でばね蝶番のばねが変形してボールを跳ね込む反発力を発生するので、この構造でも跳込羽根が折れる故障を低減させることができる。
【実施例１】
【００１１】
以下に本発明に係るボール拾集機の実施形態を図面に基づいて説明する。
【００１２】
この実施例を示す図１、図２において符号１は、本発明に係るボール拾集機を示す。このボール拾集機１は、拾集本体２を跳込羽根３を回転させながら収集するボール４へ向って進め、跳込羽根３の回転でボール４を拾集機本体２に付設した回収容器５へ回収するものであって、跳込羽根３を弾性材料により形成すると共に、ボール導入部６に跳込羽根３の弾性変形を強制的に起こさせる制止部材７を設けた構造を特徴とする。
【００１３】
拾集機本体２は、断面が方形等の中空枠状体に形成して、後端の開口部８に網、袋、その他、適当な回収容器５を着脱自在に取付け、これら回収容器５をゴムバンド９か、その他の適当な止め手段でボール４の拾集中に離脱しないように拾集本体２へ止め付ける。そして、拾集機本体２の前部の下側にはボール４の導入部６を開口させて、導入部６と後端の開口部８との間には、導入部６に臨む部分が少し平らであり、それよりも後方は次第に高くなる傾斜の底部１０を設け、底部１０の上方には跳込羽根３に跳ねられたボール４を回収容器５の開口部８へ誘導する誘導片１１を設けてある。
【００１４】
拾集機本体２におけるボール４の導入部６には、跳込羽根３の弾性変形を強制的に起こさせる制止部材７を前述の通り設ける。この制止部材７は拾集機本体２の底部１０の平な部分１０’の先端に形成するものであり、底部１０の平らな部分１０’の高さを、跳込羽根３に押されて動くボール４がつかえず乗り上がることができて、跳込羽根３の先端は制止部材７へ係合して、跳込羽根３がボール４を跳ね込むのに十分な反発力を発生するだけ弾性変形してから制止部材７より外れるように設定してあって、この制止部材７は前側よりも後側が高くなるような傾斜構造としてある。
【００１５】
拾集機本体２の内部に跳込羽根３を設けるには、拾集機本体２の前側に回転軸１２を横架して、この回転軸１２の拾集機本体２内に位置する部分を、図３（ａ）（ｂ）に示す通り角形断面とする。そして、この角形断面部の相対する２面へ、鋼・合成樹脂・ゴム等の弾性板で短冊状に形成した所要数の跳込羽根３をボール４が通り抜けない間隔で取り付けるものであって、取付けは、跳込羽根３の一端を回転軸３の角形断面部に添えて、この上に抑板１３を重ね、抑板１３と跳込羽根３とにネジ１４を通して、このネジ１４を回転軸１２への締め付けることにより行なう。
【００１６】
前記の通り回転軸１２へ取付けた跳込羽根３の長さは、先端がボール４のある面１５より僅かに離れて回転時に面１５を擦ることがないようにすることが好ましく、その数は、前記実施例では回転軸１２から２方へ張り出す２組型としてあるが、回転軸１２から４方へ張り出す４組型としてもよい。
【００１７】
跳込羽根３を取付けた回転軸１２の拾集機本体２より外へ出る部分は、図３（ａ）（ｂ）及び図４（ａ）（ｂ）に点線で示す通り円軸１２ａとし、この円軸１２ａの部分を拾集機本体２の両側へ図１に示す通り設けた軸受１６へ嵌合し、更に、軸受１６の外側の部分には車輪１７を取付けて、拾集機本体２から後方へ図１、図２に示す通り張り出させたハンドル１８を押して拾集機本体２を進めると、車輪１７がボールがある面１５を転動して回転軸１２を回転させるため、回転軸１４に取付けた跳込羽根３も回転して、ボール４を回収容器５へ跳ね込む動作を行うようにする。
【００１８】
上記構成のボール拾集機１は、拾集する対象がテニスボール４の場合、拾集機本体２の入部６に設ける制止部材７の高さを、ボール４がある面１５より３ｍｍ程度高い位置に設定して、拾集機本体２をボール４へ向って進めると、車輪１７が転動して回転軸１２で跳込羽根３を回転させる。このため、跳込羽根３はその先端が図３（ａ）に示す通りボール４にかかると、ボール４を押して拾集機本体２の導入部６へ移動し、ボール４を制止部材７へつかえさせないように底部１０の平らな部分へ図３（ｂ）の通りに乗せ、自らは先端を制止部材７に係合させてこの部分で進行を抑止される。
【００１９】
しかし、跳込羽根３の基部側は回転を続けるため、跳込羽根３は図４（ａ）に示す通り、回転方向後方へ湾曲する弾性変形を行い、やがて先端が制止部材７から外れると、弾性変形の反発力で図４（ｂ）に示す通り回転方向の前方へ湾曲する変形を行い、ボール４に跳ね飛し力を作用させるものであり、この場合の跳ね飛ばし距離は、跳込羽根３を０．３ｍｍの鋼板で形成した場合、３０〜５０ｃｍであり、拾集機本体２に付設した回収容器５へのボール４の跳ね込みは十分な余力を持って行われて、跳込羽根３の回転で面１５に転がるボール４を捕らえて回収容器５へ回収する動作を確実に安定して行わせることが実証された。
【００２０】
上記ボール拾集においては、人がハンドル１８を押して拾集機本体２を推進させたが、拾集機本体２に図面には示してないが、充電器で作動するモータ等を搭載し、このモータ等で回転軸１４と車輪１７とを回転させれば、拾集機本体を自走させて、人はハンドル１８による操行だけを行えばよい拾集機を得て、疲労が少なくて能率も高まるボール拾集機が得られる。
【００２１】
本発明に係るボール拾集機は、収集する対象のボールが変われば、これに応じて各部の仕様や条件等を変更すれば、ゴルフ、卓球、その他のボールの拾集も上記同様に行うことができる。
【実施例２】
【００２２】
この実施例は、実施例１の跳込羽根３が全体を平板構造として、一端を回転軸１２へ取り付けたのに対して、跳込羽根３の回転軸１２へ取付ける部分の近くに、図５（ａ）に示す通り板材を曲げて欠円形をなす撓み部１９を形成するか、跳込羽根３の一端に図５（ｂ）に示す通り、コイルばね２０の一方の脚２０ａを接合し、他方の脚２０ｂを回転軸１２へ固定することにより、コイルバネ２０のコイル部２０ｃが撓み部１９となるようにしたものであって、これらの撓み部１９が跳込羽根３へ力が加わるとき無理なく容易に変形するので、この撓み部１９を備えない跳込羽根３が取付部の近くから折れ易いという欠点を解消することができて好ましいものである。
【実施例３】
【００２３】
この実施例は、跳込羽根３の取付部を中心とする回動運動によってボール４の跳ね込みを行わせるものである。従って、跳込羽根３の構成は実施例1に示すものと相違するが、跳込羽根３以外の構成部材の構造並びに作用等は、実施例１に示すものと同一であるので、同一の部材には同一の符号を付してこれらに関する説明は省略した。
【００２４】
この実施例に用いる跳込羽根３は、図７、図８に示す通り、金属または合成樹脂で一枚板に形成されて、一端をばね蝶番２１で回転軸１２の角断面部へ取り付ける。この取り付けに用いるばね蝶番２１は、一方の片２１ａと他方の片２１ｂを、両者に互い違いに付設した筒部２１ｃと２１ｄに軸２２を通して回動自在に連結し、更に、筒部２１ｃと２１ｄとの間にはコイルばね２３を軸２２にコイル部２３ａを嵌めて配置することにより、このコイルばね２３の一方の脚２３ｂがばね蝶番２１の一方の片２１ａに係合し、他方の脚２３ｃが蝶番２１の他方の片２１ｂに係合して、バネ蝶番２１がコイルばね２３で開く方向へ付勢されるようにしてある。
【００２５】
上記跳込羽根３は、取付側の端部に直角の折曲縁２４を形成して、この折曲縁２４の上面にゴム等で形成したクッション片２５を取り付けて、このクッション材２５が回転軸１２の角断面部へ当った位置に跳込羽根３を静止させるとともに、回動した跳込羽根３がばね蝶番２１のコイルばね２３による反発力で戻されるとき、折曲縁２４が回転軸１２へ衝突する衝撃の緩和を行なわせるようにしてある。
【００２６】
上記構成の跳込羽根３を備えるボール拾集機１は、拾集機本体２を面１５に散乱するボール４へ向って進めると、車輪１７が転動して回転軸１２で跳込羽根３を回転させる。このため、跳込羽根３はその先端が図９（ａ）に示す通りボール４にかかると、ボール４を押して拾集機本体２の導入部６へ移動し、ボール４を図９（ｂ）に示す通り制止部材７へつかえさせないように底部１０の平らな部分へ乗せ、自らは先端を制止部材７に係合させてこの部分で回転を抑止される。
【００２７】
しかし、回転軸１２の回転は続くため、跳込羽根３は図１０（ａ）に示す通り、ばね蝶番２１の軸２２を中心に回転方向後方へ回動してコイルばね２３を変形させ、これに反発力を蓄えさせて、跳込羽根３の先端が制止部材７から外れると、コイルばね２３が反発力を跳込羽根３に加えて、跳込羽根３を図１０（ｂ）に示す通り回動させてボール４に跳ね飛し力を作用させるので、ボール４は回収容器５へ跳ね込まれて回収される。
【産業上の利用可能性】
【００２８】
テニスやゴルフの練習場等において、散乱した多数のボールを容易に能率よく収集するために利用できる。
【図面の簡単な説明】
【００２９】
【図１】ボール拾集機の実施例１を示す正面図である。
【図２】同上の中央縦断側面図である。
【図３】（ａ）（ｂ）は、跳込羽根でボールを導入部へ導入する状態を示す説明図である。
【図４】（ａ）（ｂ）は、跳込羽根でボールを容器へ跳ね込む状態を示す説明図である。
【図５】（ａ）（ｂ）は、ボール拾集機の実施例２における跳込羽根の２つの例を示す側面図である。
【図６】ボール拾集機の実施例３を示す中央縦断側面図である。
【図７】同上の跳込羽根を示す拡大正面図である。
【図８】同上の跳込羽根を示す拡大側面図である。
【図９】（ａ）（ｂ）は、跳込羽根でボールを導入部へ導入する状態を示す説明図である。
【図１０】（ａ）（ｂ）は、跳込羽根でボールを容器へ跳ね込む状態を示す説明図である。
【符号の説明】
【００３０】
１  ボール拾集機
２  拾集機本体
３  跳込羽根
４  ボール
５  回収容器
６  ボールの導入部
７  跳込羽根の制止部材
【図１】
2005028110.tif 000003
【図２】
2005028110.tif 000004
【図３】
2005028110.tif 000005
【図４】
2005028110.tif 000006
【図５】
2005028110.tif 000007
【図６】
2005028110.tif 000008
【図７】
2005028110.tif 000009
【図８】
2005028110.tif 000010
【図９】
2005028110.tif 000011
【図１０】
2005028110.tif 000012